(57)【要約】【課題】  送信装置側の消費電力を低減させる。【解決手段】  映像信号を含むデジタル信号を無線伝送するための送信装置において、前記デジタル信号における高ビットレート又は低ビットレートの信号を入力し、入力信号に対応して予め設定された変調方式により変調する変調部と、前記変調部から得られる変調信号を周波数変換する周波数変換部と、前記周波数変換部により得られる信号の高周波電力を増幅させる高周波電力増幅部と、予め設定される条件に基づいて通常時とイベント発生時とで前記変調部における変調方式を変更させ、前記高周波電力増幅部の電力を制御する制御部とを有することにより、上記課題を解決する。【選択図】        図１
2006352531.tif 000002
【特許請求の範囲】
【請求項１】
映像信号を含むデジタル信号を無線伝送するための送信装置において、
前記デジタル信号における高ビットレート又は低ビットレートの信号を入力し、入力信号に対応して予め設定された変調方式により変調する変調部と、
前記変調部から得られる変調信号を周波数変換する周波数変換部と、
前記周波数変換部により得られる信号の高周波電力を増幅させる高周波電力増幅部と、
予め設定される条件に基づいて通常時とイベント発生時とで前記変調部における変調方式を変更させ、前記高周波電力増幅部の電力を制御する制御部とを有することを特徴とする送信装置。
【請求項２】
前記制御部は、
前記通常時には前記変調部に低ビットレートで所要Ｃ／Ｎが少ない変調方式を用いて変調させ、前記高周波信号増幅部に出力電力を低減させるよう制御し、
前記イベント発生時には前記変調部に高ビットレートの変調方式を用いて変調させ、前記高周波信号増幅部に出力電力を増加させるよう制御することを特徴とする請求項１に記載の送信装置。
【請求項３】
映像信号を含むデジタル信号を複数の異なるビットレートで符号化させるための符号化部を有し、
前記符号化部は、ＪＰＥＧ２０００、ＭＰＥＧ２、及びＭＰＥＧ４のうち少なくとも１つの符号化方式を用いて符号化を行うことを特徴とする請求項１又は２に記載の送信装置。
【請求項４】
前記制御部は、
前記通常時には前記符号化部に低階層又は圧縮率の高い符号化データを出力させるよう制御し、
前記イベント発生時には高階層又は圧縮率の低い符号化データを出力させるよう制御することを特徴とする請求項３に記載の送信装置。
【請求項５】
請求項１乃至請求項４の何れか１項に記載の送信装置を用いた無線伝送システム。
【発明の詳細な説明】
【技術分野】
【０００１】
本発明は、送信装置及び該送信装置を用いた無線伝送システムに係り、特に、送信装置側の消費電力を低減させるための送信装置及び該送信装置を用いた無線伝送システムに関する。
【背景技術】
【０００２】
従来、緊急報道や中継番組等に代表されるテレビ番組等の制作において、カメラのワイヤレス化が非常に有効である。ケーブル等の有線から解放されるワイヤレス機器は、事前の準備が簡単に済むことやカメラマンの機動性が向上することから各種機器が開発され、実際のテレビ番組の制作等に使用されている（例えば、非特許文献１、非特許文献２参照。）。
【０００３】
また、これらのワイヤレスカメラは、カメラ等から出力されたデジタル映像信号をＭＰＥＧ２（Ｍｏｖｉｎｇ  Ｐｉｃｔｕｒｅ  Ｅｘｐｅｒｔｓ  Ｇｒｏｕｐ  ２）等の映像符号化装置で圧縮し、マイクロ波帯の電波等を使用して無線伝送するシステムに利用される（例えば、特許文献１参照。）。
【非特許文献１】橋本靖他、「２．４ＧＨｚ帯ＯＦＤＭワイヤレスカメラ実用化への取り組みと番組中継での運用」、放送技術２００２年９月号、兼六館出版株式会社、２００２  ＶＯＬ．５５  Ｎｏ．９、ｐｐ．１０６〜１１４．
【非特許文献２】大西弘幸他、「デジタルハイビジョンワイヤレスカメラシステム」、放送技術２００４年５月号、兼六館出版株式会社、２００４  ＶＯＬ．５７  Ｎｏ．５、ｐｐ．１２３〜１２８.
【特許文献１】特開平７−３０７７１１号公報
【発明の開示】
【発明が解決しようとする課題】
【０００４】
しかしながら、従来のワイヤレスカメラ等を用いた無線伝送システムは、デジタル映像信号をＭＰＥＧ２等のエンコーダで圧縮後、デジタル変調を行い無線伝送している。また、これらの装置は、常に同じ伝送レートでデジタル信号を無線伝送しているため、常にフルパワー状態で電波を送信している。
【０００５】
例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調方式の無線伝送装置では、高周波増幅部での相互変調妨害を防ぐため、増幅部の線形動作領域を使用しており、通常その電力効率は１０％以下である。そのため、無線伝送システムの送信装置は、大きな消費電力が必要となる。
【０００６】
また、ワイヤレスカメラにおいては、映像が途切れてしまうと、実際に撮影を中止しているのか、又は電波が届いていないのかの判断が困難となる。そのため、実際には番組として必要のない映像であっても常に受信装置側に伝送し続ける必要がある。したがって、これらの無線伝送システムの送信装置は極めて消費電力が大きくなってしまうという問題がある。特に、電池（バッテリー等）で運用する必要があるワイヤレスカメラは、その消費電力の大きさから小型電池で長時間動作させることが困難となり、また長時間動作させるためには電池が大きくなるため、カメラマンの機動性が損なわれるという問題が生じている。
【０００７】
本発明は、上述した問題点に鑑みなされたものであり、送信装置側の消費電力を低減させるための送信装置及び該送信装置を用いた無線伝送システムを提供することを目的とする。
【課題を解決するための手段】
【０００８】
上記課題を解決するために、本件発明は、以下の特徴を有する課題を解決するための手段を採用している。
【０００９】
請求項１に記載された発明は、映像信号を含むデジタル信号を無線伝送するための送信装置において、前記デジタル信号における高ビットレート又は低ビットレートの信号を入力し、入力信号に対応して予め設定された変調方式により変調する変調部と、前記変調部から得られる変調信号を周波数変換する周波数変換部と、前記周波数変換部により得られる信号の高周波電力を増幅させる高周波電力増幅部と、予め設定される条件に基づいて通常時とイベント発生時とで前記変調部における変調方式を変更させ、前記高周波電力増幅部の電力を制御する制御部とを有することを特徴とする。
【００１０】
請求項１記載の発明によれば、高周波電力増幅部の消費電力を減少させることができる。これにより、送信装置側の消費電力を低減させることができる。また、長時間動作を実現することができる。
【００１１】
請求項２に記載された発明は、前記制御部は、前記通常時には前記変調部に低ビットレートで所要Ｃ／Ｎが少ない変調方式を用いて変調させ、前記高周波信号増幅部に出力電力を低減させるよう制御し、前記イベント発生時には前記変調部に高ビットレートの変調方式を用いて変調させ、前記高周波信号増幅部に出力電力を増加させるよう制御することを特徴とする。
【００１２】
請求項２記載の発明によれば、実際に番組等で必要となる映像や音声の信号を高ビットレートで伝送し、それ以外の映像や音声については、低ビットレートの信号を伝送するため、結果として連続した信号を伝送することができる。これにより、ワイヤレスカメラ等が撮影中であることを受信側に把握させることができる。また、更に送信装置側の送信電力を低減させることができる。
【００１３】
請求項３に記載された発明は、映像信号を含むデジタル信号を複数の異なるビットレートで符号化させるための符号化部を有し、前記符号化部は、ＪＰＥＧ２０００、ＭＰＥＧ２、及びＭＰＥＧ４のうち少なくとも１つの符号化方式を用いて符号化を行うことを特徴とする。
【００１４】
請求項３記載の発明によれば、ＪＰＥＧ２０００や、ＭＰＥＧ２、又はＭＰＥＧ４の符号化方式は、画質や圧縮率を調整することができるため、伝送データ量を容易に調整することができる。これにより、送信装置側の消費電力を低減させることができる。
【００１５】
請求項４に記載された発明は、前記制御部は、前記通常時には前記符号化部に低階層又は圧縮率の高い符号化データを出力させるよう制御し、前記イベント発生時には高階層又は圧縮率の低い符号化データを出力させるよう制御することを特徴とする。
【００１６】
請求項４記載の発明によれば、実際に番組等で必要となる映像や音声の信号を高階層又は圧縮率の低い符号化データとして伝送し、それ以外の映像や音声については、低階層又は圧縮率の高い符号化データを伝送するため、結果として連続した信号を伝送することができる。これにより、ワイヤレスカメラ等が撮影中であることを受信側に把握させることができる。また、更に送信装置側の送信電力を低減させることができる。
【００１７】
請求項５に記載された発明は、請求項１乃至請求項４の何れか１項に記載の送信装置を用いた無線伝送システムである。
【００１８】
請求項５記載の発明によれば、高周波電力増幅部の消費電力を減少させることができる。これにより、デジタル信号を長時間伝送できる無線伝送システムを実現することができる。
【発明の効果】
【００１９】
本発明によれば、送信装置側の消費電力を低減させることができる。
【発明を実施するための最良の形態】
【００２０】
以下に、本発明における送信装置及び該送信装置を用いた無線伝送システムを好適に実施した形態について、図面を用いて詳細に説明する。なお、以下に示す実施例において、信号の伝送中における送信装置と受信装置間の距離は一定又は伝送許容範囲内であるものとし、伝送減衰等の条件も一定又は伝送許容範囲内であるものとする。また、以下に示す実施例においては、カメラ（撮像手段）と送信装置を別体の装置構成として説明するが、一体に構成されていてもよい。また、受信装置と、収録装置と、モニタとを別体の構成として説明するが、一体に構成されていてもよい。
【００２１】
また、以下に示す実施例において、通常時とは、例えば送信装置が撮影等をして送信している映像や音声を受信装置にて使用していない状態（モニタ状態）であることを示している。即ち、送信装置にイベントトリガー信号がない状態で、カメラの撮影映像及び音声が収録映像として選択されていない状態である。また、イベント発生時とは、送信装置が送信した映像や音声を番組制作における必要な映像として受信装置が収録装置等に収録する状態であることを示している。即ち、送信装置にイベントトリガー信号がある状態である。
【００２２】
ここで、イベントトリガー信号とは、高画質な映像が必要な場合に入力される信号である。例えば、テレビ番組の制作においては、オンエア状態や収録中等、カメラ１１の映像を使用中であることを示すタリー信号や、野生動物を撮影する場合であれば、動物が撮影フレーム上に現れたことを感知するセンサーからの信号等がある。
【００２３】
＜実施例１＞
図１は、実施例１における無線伝送システムの概略構成の一例を示す図である。図１に示す無線伝送システム１０は、撮像手段としてのカメラ１１と、カメラ１１により撮影された映像や音声等からなるデジタル信号を送信する送信装置１２と、送信装置１２からのデジタル信号を受信する受信装置１３と、収録装置１４と、モニタ１５とを有するよう構成されている。
【００２４】
また、送信装置１２は、制御部２１と、変調部２２と、周波数変換部（アップコンバータ）２３と、高周波電力増幅部２４と、送信アンテナ２５とを有するよう構成されている。また、受信装置１３は、受信アンテナ３１と、低雑音増幅部３２と、周波数変換部（ダウンコンバータ）３３と、復調部３４とを有するよう構成されている。
【００２５】
カメラ１１は、人や風景、建物等の外界の情報を撮影し、撮影された映像や音声から高ビットレートの信号と低ビットレート信号を生成する。なお、低ビットレート信号には、音声信号も含まれる。また、カメラ１１は、生成した高ビットレート信号と低ビットレート信号を送信装置１２に出力する。ここで、実施例１における送信装置１２について、具体的に説明する。
【００２６】
＜実施例１：送信装置１２＞
送信装置１２は、カメラ１１から得られる高ビットレート信号と低ビットレート信号とを変調部２２にて入力する。なお、高ビットレート信号としては、例えばＨＤＴＶ（Ｈｉｇｈ  Ｄｅｆｉｎｉｔｉｏｎ  Ｔｅｌｅｖｉｓｉｏｎ）方式の信号等があり、また、低ビットレート信号としては、例えばＳＤＴＶ（Ｓｔａｎｄａｒｄ  Ｄｅｆｉｎｉｔｉｏｎ  Ｔｅｌｅｖｉｓｉｏｎ）方式の信号や音声信号等がある。
【００２７】
制御部２１は、予め設定される条件に基づくイベントの発生等に対応した外部からのイベントトリガー信号に基づいて、変調部２２におけるデジタル変調方式及び高周波電力増幅部２４における電力の制御を行う。
【００２８】
変調部２２は、カメラ１１から入力された高ビットレート及び低ビットレートの信号を入力し、制御部２１からの制御信号に基づいて、予め設定される変調方式を用いて高ビットレート及び低ビットレートのどちらかの信号をデジタル変調する。また、変調部２２は、変調されたデジタル変調信号を周波数変換部２３に出力する。
【００２９】
周波数変換部２３は、変調部２２から入力されたデジタル変調信号の周波数を変換（アップコンバート）する。また、周波数変換部２３は、変換した信号を高周波電力増幅部２４へ出力する。
【００３０】
高周波電力増幅部２４は、制御部２１からの制御信号に基づいて高周波信号を増幅する。また、高周波電力増幅部２４は、増幅した信号を送信アンテナ２５に出力する。送信アンテナ２５は、高周波電力増幅部２４より得られる信号を電波として送信する。
【００３１】
＜送信装置１２：送信処理手順＞
ここで、送信装置１２の送信処理手順の一例について説明する。なお、カメラ１１から変調部２２に入力される信号は、例えば高ビットレートの信号をＨＤＴＶ信号とし、低ビットレートの信号をＳＤＴＶ信号及び音声信号として説明するが、本発明における信号の種類においてはこれに限定されない。
【００３２】
まず、送信装置１２は、ＨＤＴＶ信号と、ＳＤＴＶ信号及び音声信号とを変調部２２にて入力する。変調部２２は、制御部２１から得られる制御信号にしたがって、通常時にはＳＤＴＶ信号を変調し、イベント発生時にはＨＤＴＶ信号を変調して周波数変換部２３に出力する。
【００３３】
通常時には、変調部２２は、制御部２１からの信号により低所要Ｃ／Ｎ（搬送波電力対熱雑音電力比）の変調方式、例えば、ＢＰＳＫ（Ｂｉｎａｒｙ  Ｐｈａｓｅ  Ｓｈｉｆｔ  Ｋｅｙｉｎｇ）等の変調方式を用いてデジタル変調を行う。デジタル変調された信号は、周波数変換部２３にて伝送用の信号に変換され、高周波電力増幅部２４に出力される。
【００３４】
高周波電力増幅部２４は、制御部２１からの信号により送信電力を低減させる。つまり、低ビットレートの信号は、高ビットレートと比較して高周波電力を低くして信号を増幅し、送信アンテナ２５から電波として送信させる。これにより、高周波電力増幅部２４の送信電力を低減させることができる。
【００３５】
なお、通常時における送信電力の低減方法としては、例えば高周波電力増幅部２４において増幅部を多段に設け、増幅部を通過する毎に送信電力が向上するように構成されているとした場合に、最終段等の後段の増幅部を休止させ、その増幅部を通過させないようにする等の方法がある。これらの動作により通常時において消費電力を低減することができる。
【００３６】
また、他の低減方法としては、カメラ１１の撮影状態が途切れていないことが受信装置側で確認できればよいため、映像信号は送らず音声信号のみを送信装置１２に伝送させるようにしてもよい。なお、後述する実施例２〜５の説明では、音声信号のみを送信させる手法についての説明は省略するが、後述する実施例２〜５についても実施例１と同様の低減方法を適用することができる。
【００３７】
ここで、例えばカメラ１１から撮影される映像を番組制作における必要な映像として収録装置１４に収録する場合には、高画質の映像が必要となる。この場合には、イベントトリガー信号（イベント発生）に基づく制御部２１からの制御信号により、変調部２２は、所要Ｃ／Ｎが高く、伝送ビットレートの高い変調方式、例えば６４ＱＡＭ（Ｑｕａｄｒａｔｕｒｅ  Ａｍｐｌｉｔｕｄｅ  Ｍｏｄｕｌａｔｉｏｎ）等の変調方式を用いてデジタル変調を行う。更に、高周波電力部２４も制御部２１からの信号により送信電力を増大させて送信アンテナ２５から電波として送信する。
【００３８】
このように、制御部２１において制御を行うことで送信装置１２、特に高周波電力増幅部２４の消費電力を減少させることができる。具体的には、上述したように、変調方式をイベント発生時（カメラ選択時）に６４ＱＡＭとし、通常時にＢＰＳＫとすると、選択時の送信電力を基準にして理論上所要Ｃ／Ｎを１５ｄＢ程度低下することになるため、送信電力は従来より１／３０以上低減させることができる。
【００３９】
＜実施例１：受信装置１３＞
一方、受信装置１３は、送信装置１２から送信された電波を受信アンテナ３１にて受信する。受信アンテナ３１は、受信した信号を低雑音増幅部３２に出力する。低雑音増幅部３２は、受信アンテナ３１より得られる信号の伝送減衰等を増幅し、周波数変換部３３に出力する。周波数変換部３３は、低雑音増幅部３２より得られる信号を周波数変換（ダウンコンバート）し復調部３４に出力する。復調部３４は、周波数変換部３３より得られるデジタル変調信号を復調する。
【００４０】
ここで、復調部３４は、６４ＱＡＭ復調器とＢＰＳＫ復調器により同時に復調を行うため（以降の実施例でも同様）、ＳＤＴＶ信号とＨＤＴＶ信号のどちらか一方の信号が取得されることになる。したがって、復調部３４は、取得した信号がＳＤＴＶ信号の場合、映像や音声の出力が可能なモニタ１５に出力する。これにより、受信装置１３側で映像又は音声を確認することができる。また、復調部３４は、取得した信号がＨＤＴＶ信号の場合、収録装置１４に出力し番組に用いられる信号として収録される。ここで、収録装置１４は、ハードディスクやＶＴＲ（Ｖｉｄｅｏ  Ｔａｐｅ  Ｒｅｃｏｒｄｅｒ）等のストレージ手段である。また、収録装置１４には、モニタ等を有し、映像の内容を受信側で確認することもできる。
【００４１】
上述したように、実施例１によれば、高周波電力増幅部の消費電力を減少させることができる。これにより、送信装置側の消費電力を低減させることができる。また、長時間動作を実現することができる。具体的には、ＳＤＴＶとＨＤＴＶの２つの信号を送信装置１２に入力し、通常時はＳＤＴＶ信号が伝送可能な低ビットレートの所要Ｃ／Ｎが低い変調方式を選択し、更に高周波信号増幅部の出力電力を低減させる。また、イベントが発生し高画質な映像が必要な場合にはＨＤＴＶ信号が伝送できる高ビットレートの変調方式を選択し、送信出力を高めることで必要な映像の品質を維持することができる。
【００４２】
また、低ビットレート信号の場合は、低画質な映像や音声、又は音声のみを受信装置１３側に伝送するようにすることで、高周波電力増幅部の消費電力を減少させることができる。また、デジタル信号を受信装置１３側に長時間伝送できる無線伝送システムを実現することができる。
【００４３】
＜実施例２＞
次に、本発明における第２の実施例について図を用いて説明する。図２は、実施例２における無線伝送システムの概略構成の一例を示す図である。実施例２は、カメラから出力されるシリアルデジタル映像信号をミリ波帯等の電波を用いて無線伝送する無線伝送システムを示す例である。
【００４４】
図２に示す無線伝送システム４０は、上述の実施例と同様にカメラ４１と、送信装置４２と、受信装置４３と、収録装置４４と、モニタ４５とを有するよう構成されている。ここで、カメラ４１、収録装置４４、及びモニタ４５については、それぞれ上述した実施例１におけるカメラ１１、収録装置１４、及びモニタ１５と略同様の構成及び動作を行うため、ここでの説明は省略する。
【００４５】
また、送信装置４２は、制御部５１と、スイッチ５２と、ＡＳＫ（Ａｍｐｌｉｔｕｄｅ  Ｓｈｉｆｔ  Ｋｅｙｉｎｇ）変調部５３と、発振部５４と、高周波電力増幅部５５と、送信アンテナ５６とを有するよう構成されている。また、受信装置４３は、受信アンテナ６１と、低雑音増幅部６２と、検波部６３と、リクロック部６４とを有するよう構成されている。
【００４６】
＜実施例２：送信装置４２＞
制御部５１は、予め設定される条件に基づくイベントの発生等に対応した外部からのイベントトリガー信号に基づいて、カメラ１１から入力される高ビットレート信号と低ビットレート信号とを切り替えるスイッチ５２の切り替え、及び高周波電力増幅部２４における電力の制御を行う。
【００４７】
ＡＳＫ変調部５３は、スイッチ５２により切り替えられて送られる信号を発振部５４から出力された搬送波（ベースバンド信号）により変調信号として振幅変調を行う。また、ＡＳＫ変調部５３は、振幅変調した信号を高周波電力増幅部５５に出力する。
【００４８】
高周波電力増幅部５５は、制御部５１からの制御信号に基づいて高周波信号を増幅する。また、高周波電力増幅部５５は、増幅した信号を送信アンテナ５６に出力する。送信アンテナ５６は、高周波電力増幅部５５により得られる信号を電波として送信する。
【００４９】
＜送信装置４２：送信処理手順＞
ここで、送信装置４２の送信処理手順の一例について説明する。なお、カメラ４１からスイッチ５２に入力される信号は、例えば高ビットレートの信号をハイビジョンテレビ信号のシリアルデジタル映像信号（ＨＤ―ＳＤＩ：Ｈｉｇｈ  Ｄｅｆｉｎｉｔｉｏｎ  Ｓｅｒｉａｌ  Ｄｉｇｉｔａｌ  Ｉｎｔｅｒｆａｃｅ）とし、低ビットレートの信号を標準テレビ信号のシリアルデジタル映像信号（ＳＤ−ＳＤＩ：Ｓｔａｎｄａｒｄ  Ｄｅｆｉｎｉｔｉｏｎ  Ｓｅｒｉａｌ  Ｄｉｇｉｔａｌ  Ｉｎｔｅｒｆａｃｅ）とするが、本発明における信号の種類においてはこれに限定されない。
【００５０】
まず、カメラ４１から得られるＨＤ−ＳＤＩ信号とＳＤ−ＳＤＩ信号とをスイッチ５２に入力する。制御部５１は、イベントトリガー信号の入力がない場合、即ち通常時にはスイッチ５２に対してＳＤ−ＳＤＩ信号に切り替えて出力するように制御する。また、イベントトリガー信号の入力があった場合、即ちイベント発生時はＨＤ−ＳＤＩ信号に切り替えて出力するように制御する。つまり、スイッチ５２は、制御部５１から得られる制御信号にしたがって、通常時にはＳＤ−ＳＤＩ信号をＡＳＫ変調部５３に出力し、イベント発生時にはＨＤ−ＳＤＩ信号をＡＳＫ変調部５３に出力するように切り替えを行う。
【００５１】
ＡＳＫ変調部５３は、発振部５４から出力された搬送波に対してＳＤ−ＳＤＩ信号、又はＨＤ−ＳＤＩ信号の振幅変調を行う。例えば、発振部５４が６０ＧＨｚの高周波信号をＡＳＫ変調部５３に出力し、スイッチ５２が変調信号としてＨＤ−ＳＤＩ信号をＡＳＫ変調部５３に出力した場合、ＡＳＫ変調部５３は、ＨＤ−ＳＤＩ信号でＡＳＫ変調した６０ＧＨｚの高周波信号を高周波電力増幅部５５に出力する。
【００５２】
高周波電力増幅部５５は、ＡＳＫ変調部５３より得られるＡＳＫ変調された信号を制御部５１からの制御信号に基づいて電力増幅し、送信アンテナ５６から電波として送信させる。なお、実施例２における送信電力の低減方法としては、上述の実施例１で示すような方法を用いることができる。
【００５３】
ここで、高周波電力増幅部５５の増幅度をどの程度にするかについては、上述したように制御部５１からの制御信号により設定される。例えば、約１．５ＧｂｐｓのＨＤ−ＳＤＩ信号を伝送できる距離において、その距離で約３００ＭｂｐｓのＳＤ−ＳＤＩ信号を伝送する場合と比較して約１／５の送信電力で伝送することができる。したがって、通常時には、イベント発生時のＨＤ−ＳＤＩ信号を伝送する場合に対して１／５の電力で送信すればよいことになる。これにより、低消費電力を実現し、更に必要な際には高画質な映像が得られる無線伝送システムを実現することができる。
【００５４】
＜実施例２：受信装置４３＞
一方、受信装置４３では、送信装置４２から送信された電波を受信アンテナ６１にて受信する。受信アンテナ６１は、受信した信号を低雑音増幅部６２に出力する。低雑音増幅部６２は、受信アンテナ６１より得られる信号の伝送減衰等を増幅し、検波部６３に出力する。検波部６３は、入力した高周波信号を包絡線検波して、変調信号であるＨＤ−ＳＤＩ信号又はＳＤ−ＳＤＩ信号を取得する。
【００５５】
なお、検波部６３により取り出したＨＤ−ＳＤＩ信号又はＳＤ−ＳＤＩ信号は、伝送路の影響を受けて波形に劣化が生じている。そのため、検波部６３は、取り出したＨＤ−ＳＤＩ信号又はＳＤ−ＳＤＩ信号をリクロック部６４に出力する。リクロック部６４は、高精度のクロックで入力した信号を補正し波形歪等を取り除いて安定したＨＤ−ＳＤＩ信号又はＳＤ−ＳＤＩ信号に再生する。
【００５６】
また、リクロック部６４は、再生した信号が、ＳＤ−ＳＤＩ信号（通常時）である場合には、モニタ４５に出力し、ＨＤ−ＳＤＩ信号（イベント発生時）である場合には、放送でオンエアしたり、ＶＴＲで収録したりするため、収録装置４４に出力する。
【００５７】
上述したように、実施例２によれば、イベント発生等により必要な場合にのみ高画質な映像（ＨＤ−ＳＤＩ信号）等を受信側に伝送するようにし、それ以外の場合は、低画質な映像（ＳＤ−ＳＤＩ信号）や音声、又は音声のみを受信側に伝送するようにすることで、高周波電力増幅部の消費電力を減少させることができる。また、デジタル信号を長時間伝送できる無線伝送システムを実現することができる。
【００５８】
＜実施例３＞
次に、本発明における第３の実施例について図を用いて説明する。図３は、実施例３における無線伝送システムの概略構成の一例を示す図である。実施例３は、高階層映像と低階層映像とに圧縮される圧縮符号化部を有し、２つの階層で圧縮された符号化信号をスイッチにて切り替えて無線伝送する無線伝送システムを示す例である。
【００５９】
図３に示す無線伝送システム７０は、上述の実施例と同様にカメラ７１と、送信装置７２と、受信装置７３と、収録装置７４と、モニタ７５とを有するよう構成されている。ここで、カメラ７１は、上述の実施例とは異なり、高ビットレート信号のみを送信装置７２に出力する。また、収録装置７４、及びモニタ７５については、それぞれ上述した実施例１における収録装置１４、及びモニタ１５と略同様の構成及び動作を行うため、ここでの説明は省略する。
【００６０】
また、送信装置７２は、制御部８１と、映像信号分配部８２と、高階層映像圧縮符号化部８３と、低階層映像圧縮符号化部８４と、スイッチ８５と、変調部８６、周波数変換部（アップコンバータ）８７と、高周波電力増幅部８８と、送信アンテナ８９とを有するよう構成されている。また、受信装置７３は、受信アンテナ９１と、低雑音増幅部９２と、周波数変換部（ダウンコンバータ）９３と、復調部９４と、２分配部９５と、高階層映像復号部９６と、低階層映像復号部９６とを有するよう構成されている。
【００６１】
制御部８１は、高階層映像圧縮符号化部８３と、スイッチ８５と、変調部８６と、高周波電力増幅部８８とをイベントトリガー信号に基づいて制御する。映像信号分配部８２は、カメラ７１から得られるデジタル映像信号を同一の２つの信号に分配する。また、映像信号分配部８２は、信号をそれぞれ高階層映像圧縮符号化部８３と低階層映像圧縮符号化部８４とに出力する。高階層映像圧縮符号化部８３は、入力したデジタル映像信号を低圧縮率で圧縮する。また、低階層映像圧縮符号化部８４は、入力したデジタル映像信号を高圧縮率で圧縮する。また、高階層映像圧縮符号化部８３及び低階層映像圧縮符号化部８４は、それぞれ圧縮した信号をスイッチ８５に出力する。
【００６２】
スイッチ８５は、高階層映像圧縮符号化部８３及び低階層映像圧縮符号化部８４からそれぞれ入力された信号を制御部８１からの制御信号に基づいて切り替えて変調部８６に出力する。
【００６３】
変調部８６は、スイッチ８５から入力された信号を入力し、制御部８１からの制御信号に基づいて、予め設定された変調方式を用いてデジタル変調する。また、変調部８６は、変調されたデジタル変調信号を周波数変換部８７に出力する。
【００６４】
周波数変換部８７は、変調部８６から得られるデジタル変調信号の周波数を変換（アップコンバート）する。また、周波数変換部８７は、変換した信号を高周波電力増幅部８８へ出力する。
【００６５】
高周波電力増幅部８８は、制御部８１からの制御信号に基づいて高周波信号を増幅する。また、高周波電力増幅部８８は、増幅した信号を送信アンテナ８９に出力する。送信アンテナ８９は、高周波電力増幅部８８より得られる信号を電波として送信する。
【００６６】
＜送信装置７２：送信処理手順＞
ここで、送信装置７２の送信処理手順の一例について説明する。なお、カメラ７１から入力される信号は、高ビットレートのＨＤＴＶ信号として説明するが、本発明における信号の種類においてはこれに限定されない。
【００６７】
送信装置７２は、映像信号分配部８２に入力されたカメラ７１からのＨＤＴＶ信号を分配して高階層映像圧縮符号化部８３と、低階層映像圧縮符号化部８４とに出力する。なお、実施例３において、カメラ７１が通常時の撮影状態にある場合には、低消費電力を実現するため、送信装置７２は高階層映像符号化部８３を制御部８１からの制御信号によって休止させてもよい。
【００６８】
つまり、高階層映像圧縮符号化部８３は休止状態であるため、低階層映像圧縮符号化部８４によりＨＤＴＶ信号が高圧縮符号化され、低ビットレートのデジタル圧縮信号がスイッチ８５に出力される。スイッチ８５は、制御部８１からの制御信号により低階層映像圧縮符号化部８４からの信号を変調部８６に出力する。
【００６９】
変調部８６は、スイッチ８５より得られる低階層映像圧縮符号化部８４にて符号化された信号を入力し、制御部８１からの制御信号により低所要Ｃ／Ｎの変調方式、例えばＢＰＳＫ等の変調方式により信号をデジタル変調する。また、変調部８６は、変調した信号を周波数変換部８７に出力する。また、周波数変換部８７は、変調部８６から得られるデジタル変調信号の周波数を変換（アップコンバート）して高周波電力増幅部８８に出力する。高周波電力増幅部８８は、制御部８１からの制御信号により送信電力を低減させて増幅を行い、送信アンテナ８９により電波を送信する。なお、実施例３における送信電力の低減方法としては、上述の実施例１で示すような方法を用いることができる。上記動作により通常時の撮影状態において消費電力を低減することができる。
【００７０】
次に、例えばカメラ７１から撮影される映像を番組制作における必要な映像として収録装置７４に収録する場合には、高画質の映像が必要となる。この場合には、高階層映像符号化部８３をイベントトリガー信号が入力された制御部８１からの制御信号によって起動させる。
【００７１】
更に、スイッチ８５は、制御部８１からの制御信号により高階層映像圧縮符号化部８３からの低圧縮でビットレートの高い高画質なデジタル圧縮信号に切り替えて変調部８６に出力する。また、変調部８６は、制御部８１からの制御信号により所要Ｃ／Ｎは高いが伝送ビットレートの高い変調方式、例えば６４ＱＡＭ等の変調方式により変調を行い、周波数変換部８７に出力される。また、周波数変換部８７は、変調部８６から得られるデジタル変調信号の周波数を変換（アップコンバート）して高周波電力増幅部８８に出力する。また、高周波電力増幅部８８は、制御部８１からの制御信号により送信電力を増大させて送信アンテナ８９より電波を送信する。
【００７２】
なお、送信装置７２は、高階層映像圧縮符号化部８３が符号化処理を行う場合、つまり、イベント発生時には低階層映像符号化部８４を休止させるように制御部８１からの制御信号を低階層映像符号化部８４に出力してもよい。このとき、通常時には、低階層映像符号化部８４を起動させるような制御も可能にする。
【００７３】
また、上述したように、変調方式をイベント発生時（カメラ選択時）には６４ＱＡＭとし、通常時にはＢＰＳＫとすると、選択時の送信電力を基準として理論上所要Ｃ／Ｎを１５ｄＢ程度低下することになるため、送信電力を１／３０以上低減させることが可能となる。
【００７４】
＜実施例３：受信装置７３＞
一方、受信装置７３では、送信装置７２から送信された電波を受信アンテナ９１にて受信する。受信アンテナ９１は、受信した信号を低雑音増幅部９２に出力する。低雑音増幅部９２は、受信アンテナ９１より得られる信号の伝送減衰等を増幅し、周波数変換部９３に出力する。周波数変換部９３は、低雑音増幅部９２より得られる信号を周波数変換（ダウンコンバート）し復調部９４に出力する。復調部９４は、周波数変換部９３より得られるデジタル変調信号を復調して２分配部９５に出力する。
【００７５】
ここで、２分配部９５は、復調部９４から得られる復調後のデジタル信号を２分配して高階層映像復号部９６及び低階層映像復号部９７に出力する。ここで、２分配部９５から入力された信号が高階層の信号であれば、高階層映像復号部９６により正常に復号が行われ、収録装置７４に出力される。また、２分配部９５から入力された信号が低階層の信号であれば、低階層映像復号部９５により正常に復号が行われ、モニタ７５に出力される。なお、高階層映像復号部９６及び低階層映像復号部９７に上述とは逆の信号が入力された場合には、正常に復号が行われず出力されない。
【００７６】
上述したように、実施例３によれば、デジタル映像信号を２つ以上のビットレートで符号化するための映像符号化部と、イベントトリガー信号により変調方式を変更する変調部と、イベントトリガー信号で出力電力を変更する高周波信号増幅部を有することで、通常時には伝送ビットレートが低く所要Ｃ／Ｎが少ない変調方式を選択し、高周波信号増幅部の出力電力を低減することができる。また、イベント発生時には高画質な映像が必要な場合にのみ高ビットレートの変調方式を選択し送信出力を高める。これにより、高周波電力増幅部の消費電力を減少させることができる。また、デジタル信号を長時間伝送できる無線伝送システムを実現することができる。
【００７７】
＜実施例４＞
次に、本発明における第４の実施例について図を用いて説明する。図４は、実施例４における無線伝送システムの概略構成の一例を示す図である。実施例４は、ＭｏｔｉｏｎＪＰＥＧ２０００を用いて無線伝送する無線伝送システムを示す例である。
【００７８】
ＪＰＥＧ２０００の符号化方式では、低階層データを含む高階層データを入力すれば高画質の映像を取得することができ、低階層データのみを入力すればデータビットレートは低くなるため、低階層データと高階層データとを用いて通常時とイベント発生時とで信号の切り替えを行う。
【００７９】
図４に示す無線伝送システム１００は、カメラ１０１と、送信装置１０２と、受信装置１０３と、収録装置１０４と、モニタ１０５とを有するよう構成されている。
【００８０】
また、送信装置１０２は、制御部１１１と、ＪＰＥＧ２０００エンコーダ１１２と、低階層データ分離部１１３と、変調部１１４と、周波数変換部（アップコンバータ）１１５と、高周波電力増幅部１１６と、送信アンテナ１１７とを有するよう構成されている。また、受信装置１０３は、受信アンテナ１２１と、低雑音増幅部１２２と、周波数変換部（ダウンコンバータ）１２３と、復調部１２４と、ＪＰＥＧ２０００デコーダ１２５と、映像信号分配部１２６とを有するよう構成されている。
【００８１】
＜実施例４：送信装置１０２＞
ここで、カメラ１０１、収録装置１０４、及びモニタ１０５については、それぞれ上述した実施例３におけるカメラ７１、収録装置７４、及びモニタ７５と略同様の構成及び動作を行うため、ここでの説明は省略する。また、実施例４における送信装置１０２及び受信装置１０３の構成を上述した実施例３における送信装置７２及び受信装置７３の構成と比較すると、送信装置１０２では、映像信号分配部８２がなく、高階層映像符号化部８３及び低階層映像符号化部８４がＪＰＥＧ２０００エンコーダ１１２となっている。また、スイッチ８５が低階層データ分離部１１３となっている。一方、受信装置１０３は、実施例３の受信装置７３と比較すると、２分配器９５が映像信号分配部１２６となっており、高階層映像復号部９６及び低階層映像復号部９７がＪＰＥＧ２０００デコーダ１２５となっている。
【００８２】
また、ＪＰＥＧ２０００エンコーダ１１２と、ＪＰＥＧ２０００デコーダ１２５は、ＭｏｔｉｏｎＪＰＥＧ２０００映像符号化方式の映像圧縮手段であり、出力信号はＪＰＥＧ２０００コードストリームの階層構造を有しており、低階層のデータのみを抽出することで圧縮率の高い低解像度のデータを取得することができる。
【００８３】
つまり、低階層のデータのみを抽出して利用することにより、データビットレートを低くすることができる。このため、ＪＰＥＧ２０００デコーダ１２５は、低階層データを含む高階層データを入力すれば高画質の映像を取得することができ、また低階層データのみを入力すると解像度の低い映像を取得することができる。
【００８４】
＜送信装置１０２：送信処理手順＞
ここで、送信装置１０２の送信処理手順の一例について説明する。なお、カメラ１０１から入力される信号は、高ビットレートのＨＤＴＶ信号として説明するが、本発明における信号の種類においてはこれに限定されない。
【００８５】
送信装置１０２は、カメラ１０１から得られるＨＤＴＶ信号をＪＰＥＧ２０００エンコーダ１１２にて入力する。ＪＰＥＧ２０００エンコーダ１１２は、入力したＨＤＴＶ信号をエンコードする。また、ＪＰＥＧ２０００エンコーダ１１２は、エンコードした低階層データを含む高階層データを変調部１１４及び低階層データ分離部１１３に出力する。低階層データ分離部１１３は、ＪＰＥＧ２０００エンコーダ１１２から得られるデータから低階層のデータのみを抽出して変調部１１４に出力する。
【００８６】
また、変調部１１４は、制御部１１１からの制御信号により、ＪＰＥＧ２０００エンコーダ１１２より得られる低階層データを含む高階層のデータを６４ＱＡＭで変調し、低階層データ分離部１１３より得られる低階層のみのデータのときはＢＰＳＫ変調方式でデジタル変調して周波数変換部１１５に出力する。
【００８７】
周波数変換部１１５は、変調部１１３から得られる信号を周波数変換（アップコンバート）し、高周波電力増幅部１１６に出力する。高周波電力増幅部１１６は、制御部１１１からの制御信号に基づき信号を増幅して送信アンテナ１１７より電波として送信される。なお、実施例４における送信電力の低減方法としては、上述の実施例１で示すような方法を用いることができる。
【００８８】
＜実施例４：受信装置１０３＞
一方、受信装置１０３では、送信装置１０２から送信された電波を受信アンテナ１２１にて受信する。受信アンテナ１２１は、受信した信号を低雑音増幅部１２２に出力する。低雑音増幅部１２２は、受信アンテナ１２１より得られる信号の伝送減衰等を増幅し、周波数変換部１２３に出力する。周波数変換部１２３は、低雑音増幅部１２２より得られる信号を周波数変換（ダウンコンバート）し復調部１２４に出力する。復調部１２４は、周波数変換部１２３より得られるデジタル変調信号を復調してＪＰＥＧ２０００デコーダ１２５に出力する。
【００８９】
ＪＰＥＧ２０００デコーダ１２５は、復調部１２４から得られる復調後のデジタル信号をデコードし、映像信号分配部１２６に出力する。映像信号分配部１２６は、ＪＰＥＧ２０００デコーダ１２５より得られるデータが低階層データである場合には、モニタ１０５みに出力し、低階層データを含む高階層データである場合は、モニタ１０５及び収録装置１０４に出力する。
【００９０】
上述したように、実施例４によれば、ＪＰＥＧ２０００映像符号化方式の映像符号化部を用いて、イベント発生時には低階層データを含む高階層データを伝送し、通常時には低階層データのみを伝送することにより、受信側では、必要なところで高画質の映像を取得することができる。これにより、長時間動作可能な送信装置１０２を実現することができる。
【００９１】
＜実施例５＞
次に、本発明における第５の実施例について図を用いて説明する。図５は、実施例５における無線伝送システムの概略構成の一例を示す図である。実施例５は、ＭＰＥＧ２を用いて無線伝送する無線伝送システムを示す例である。
【００９２】
ＭＰＥＧ２の符号化方式では、圧縮率を変えて符号化することで、低圧縮と高圧縮との２つの信号を取得することができるため、通常時とイベント発生時とで信号を切り替えて伝送を行う。
【００９３】
図５に示す無線伝送システム１３０は、カメラ１３１と、送信装置１３２と、受信装置１３３と、収録装置１３４と、モニタ１３５とを有するよう構成されている。
【００９４】
また、送信装置１３２は、制御部１４１と、映像信号分配部１４２と、高圧縮ＭＰＥＧ２エンコーダ１４３と、低圧縮ＭＰＥＧ２エンコーダ１４４と、スイッチ１４５と、変調部１４６、周波数変換部（アップコンバータ）１４７と、高周波電力増幅部１４８と、送信アンテナ１４９とを有するよう構成されている。また、受信装置１３３は、受信アンテナ１５１と、低雑音増幅部１５２と、周波数変換部（ダウンコンバータ）１５３と、復調部１５４と、ＭＰＥＧ２デコーダ１５５と、映像信号分配部１５６とを有するよう構成されている。
【００９５】
＜実施例５：送信装置１３２＞
ここで、カメラ１３１、収録装置１３４、及びモニタ１３５については、それぞれ上述した実施例３におけるカメラ７１、収録装置７４、及びモニタ７５と略同様の構成及び動作を行うため、ここでの説明は省略する。また、上述した実施例３における送信装置７２と、実施例５における送信装置１３２とを比較すると、高階層映像符号化部８３が低圧縮ＭＰＥＧ２エンコーダ１４４となっており、低階層映像符号化部８４が高圧縮ＭＰＥＧ２エンコーダ１４３となっている。一方、上述した実施例４における受信装置１０３と、実施例５における受信装置１３３とを比較すると、ＪＰＥＧ２０００エンコーダ１２５がＭＰＥＧ２デコーダ１５５となっている。なお、ＭＰＥＧ２のデコーダは互換性があるため、ＭＰＥＧ２デコーダ１５５が高ビットレートである低圧縮ＭＰＥＧ２エンコーダ１４４から得られる高ビットレートの出力信号をデコードできる場合、低ビットレートである高圧縮ＭＰＥＧ２エンコーダ１４３から得られる出力信号もデコードすることができる。
【００９６】
＜送信装置１３２：送信処理手順＞
ここで、送信装置１３２の送信処理手順の一例について説明する。なお、カメラ１３１から入力される信号は、高ビットレートのＨＤＴＶ信号として説明するが、本発明における信号の種類においてはこれに限定されない。
【００９７】
送信装置１３２は、映像信号分配部１４２に入力されたカメラ１３１からのＨＤＴＶ信号を分配して高圧縮ＭＰＥＧ２エンコーダ１４３と、低圧縮ＭＰＥＧ２エンコーダ１４４とに出力する。なお、実施例５において、カメラ１３１が通常時の撮影状態にある場合には、低消費電力を実現するため、送信装置１３２は低圧縮ＭＰＥＧ２エンコーダ１４４を制御部１４１からの制御信号によって休止させてもよい。
【００９８】
つまり、低圧縮ＭＰＥＧ２エンコーダ１４４は休止状態であるため、高圧縮ＭＰＥＧ２エンコーダ１４３によりＨＤＴＶ信号が高圧縮符号化され、低ビットレートのデジタル圧縮信号がスイッチ１４５に出力される。スイッチ１４５は、制御部１４１からの制御信号により高圧縮ＭＰＥＧ２エンコーダ１４３からの信号を変調部１４６に出力する。
【００９９】
変調部１４６は、スイッチ１４５により得られる高圧縮ＭＰＥＧ２エンコーダ１４３にて符号化された信号を入力し、制御部１４１からの制御信号により低所要Ｃ／Ｎの変調方式、例えばＢＰＳＫ等の変調方式により信号をデジタル変調する。また、変調部１４６は、変調した信号を周波数変換部１４７に出力する。また、周波数変換部１４７は、変調部１４６から得られるデジタル変調信号の周波数を変換（アップコンバート）して高周波電力増幅部１４８に出力する。高周波電力増幅部１４８は、制御部１４１からの制御信号により送信電力を低減させて増幅を行い、送信アンテナ１４９により電波を送信する。なお、実施例５における送信電力の低減方法としては、上述の実施例１で示すような方法を用いることができる。上記動作により通常時の撮影状態において消費電力を低減することができる。
【０１００】
次に、例えばカメラ１３１から撮影される映像を番組制作における必要な映像として収録装置１３４に収録する場合には、高画質の映像が必要となる。この場合には、低圧縮ＭＰＥＧ２エンコーダ１４４をイベントトリガー信号が入力された制御部１４１からの制御信号によって起動させる。
【０１０１】
更に、スイッチ１４５は、制御部１４１からの制御信号により低圧縮ＭＰＥＧ２エンコーダ１４４からの低圧縮でビットレートの高い高画質なデジタル圧縮信号に切り替えて変調部１４６に出力する。また、変調部１４６は、制御部１４１からの制御信号により所要Ｃ／Ｎは高いが伝送ビットレートの高い変調方式、例えば６４ＱＡＭ等の変調方式により変調を行い、周波数変換部１４７に出力される。また、周波数変換部１４７は、変調部１４６から得られるデジタル変調信号の周波数を変換（アップコンバート）して高周波電力増幅部１４８に出力する。また、高周波電力増幅部１４８は、制御部１４１からの制御信号により送信電力を増大させて送信アンテナ１４９より電波を送信する。
【０１０２】
なお、送信装置１３２は、低圧縮ＭＰＥＧ２エンコーダ１４４が符号化処理を行う場合、つまり、イベント発生時には高圧縮ＭＰＥＧ２エンコーダ１４３を休止させるように制御部１４１からの制御信号を高圧縮ＭＰＥＧ２エンコーダ１４３に出力してもよい。このとき、通常時には、高圧縮ＭＰＥＧ２エンコーダ１４３を起動させるような制御も可能にする。
【０１０３】
＜実施例５：受信装置１３３＞
一方、受信装置１３３では、送信装置１３２から送信された電波を受信アンテナ１５１にて受信する。受信アンテナ１５１は、受信した信号を低雑音増幅部１５２に出力する。低雑音増幅部１５２は、受信アンテナ１５１より得られる信号の伝送減衰等を増幅し、周波数変換部１５３に出力する。周波数変換部１５３は、低雑音増幅部１５２より得られる信号を周波数変換（ダウンコンバート）し復調部１５４に出力する。復調部１５４は、周波数変換部１５３より得られるデジタル変調信号を復調してＭＰＥＧ２デコーダ１５５に出力する。
【０１０４】
ここで、ＭＰＥＧ２デコーダ１５５は、上述したように高ビットレートの出力信号をデコードできる場合、低ビットレートの出力信号もデコードすることができる。したがって、ＭＰＥＧ２デコーダ１５５は、復調部１５４から得られる信号をデコードし、映像信号分配部１５６に出力する。映像信号分配部１５６は、ＭＰＥＧ２デコーダ１５５より得られるデータが高圧縮データである場合には、モニタ１３５のみに出力し、低圧縮データの場合には、モニタ１３５及び収録装置１３４に出力する。なお、実施例５においては、ＭＰＥＧ２に限定されず、ＭＰＥＧ４やＭＰＥＧ７等の符号化方式であっても同様に適用することができる。
【０１０５】
上述したように、実施例５によれば、必要な映像では高画質が得られ、更に長時間動作可能な送信装置を実現することができる。具体的には、ＭＰＥＧ２映像符号化方式の圧縮率の異なる映像符号化部を用い、通常時には圧縮率の高い符号化データを伝送し、イベント発生時には圧縮率の低い符号化データを伝送することで消費電力を低減することができる。
【０１０６】
上述したように本発明によれば、高周波電力増幅部の消費電力を減少させることができる。これにより、送信装置側の消費電力を低減させることができる。また、長時間動作を実現することができる。
【０１０７】
また、デジタル信号を長時間伝送できる無線伝送システムを実現することができる。
【０１０８】
なお、上述の実施例２〜５では、特に音声信号についての説明を省略しているが、映像信号と共に伝送されることは言うまでもなく、例えば実施例１と同様に音声信号を低ビットレート（低階層、高圧縮）の信号として伝送させることができる。
【０１０９】
以上本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【０１１０】
【図１】実施例１における無線伝送システムの概略構成の一例を示す図である。
【図２】実施例２における無線伝送システムの概略構成の一例を示す図である。
【図３】実施例３における無線伝送システムの概略構成の一例を示す図である。
【図４】実施例４における無線伝送システムの概略構成の一例を示す図である。
【図５】実施例５における無線伝送システムの概略構成の一例を示す図である。
【符号の説明】
【０１１１】
１０，４０，７０，１００，１３０  無線伝送システム
１１，４１，７１，１０１，１３１  カメラ
１２，４２，７２，１０２，１３２  送信装置
１３，４３，７３，１０３，１３３  受信装置
１４，４４，７４，１０４，１３４  収録装置
１５，４５，７５，１０５，１３５  モニタ
２１，５１，８１，１１１，１４１  制御部
２２，８６，１１４，１４６  変調部
２３，８７，１１５，１４７  周波数変換部（アップコンバータ）
２４，５５，８８，１１６，１４８  高周波電力増幅部
２５，５６，８９，１１７，１４９  送信アンテナ
３１，６１，９１，１２１，１５１  受信アンテナ
３２，６２，９２，１２２，１５２  低雑音増幅部
３３，９３，１２３，１５３  周波数変換部（ダウンコンバータ）
３４，９４，１２４，１５４  復調部
５２，８５，１４５  スイッチ
５３  ＡＳＫ変調部
５４  発振部
６３  検波部
６４  リロック部
８２，１２６，１４２，１５６  映像信号分配部
８３  高階層映像圧縮符号化部
８４  低階層映像圧縮符号化部
９５  ２分配部
９６  高階層映像復号部
９７  低階層映像復号部
１１２  ＪＰＥＧ２０００エンコーダ
１１３  低階層データ分離部
１２５  ＪＰＥＧ２０００デコーダ
１４３  高圧縮ＭＰＥＧ２エンコーダ
１４４  低圧縮ＭＰＥＧ２エンコーダ
１５５  ＭＰＥＧ２デコーダ
【図１】
2006352531.tif 000003
【図２】
2006352531.tif 000004
【図３】
2006352531.tif 000005
【図４】
2006352531.tif 000006
【図５】
2006352531.tif 000007